(57)【要約】 【課題】  メニュー画面を介したコンテンツの整理が容易な記録再生装置及び表示方法を提供する。【解決手段】  記録再生装置１０は、入力されるコンテンツを、記録日時及び当該コンテンツの映像情報の一部とともに記録する記録部２６と、記録部２６に記録されたコンテンツの映像情報の一部が表示される選択メニュー画面を生成する画像処理部２０と、画像処理部２０による選択メニュー画面の生成時、記録部２６に記録された各コンテンツについて、記録部２６に記録された記録日時と現在日時との差分に応じた明るさに、映像情報の一部を加工して表示するよう画像処理部１８を制御する制御部３４と、を備える。【選択図】  図１
2008072200.tif 000002
【特許請求の範囲】
【請求項１】
入力されるコンテンツを、記録日時及び当該コンテンツの映像情報の一部とともに記録する記録部と、
前記記録部に記録された前記コンテンツの映像情報の一部が表示される選択メニュー画面を生成する画像処理部と、
前記画像処理部による選択メニュー画面の生成時、前記記録部に記録された各コンテンツについて、前記記録部に記録された記録日時と現在日時との差分に応じた明るさに、前記映像情報の一部を加工して表示するよう前記画像処理部を制御する制御部と、
を備える、ことを特徴とする記録再生装置。
【請求項２】
入力されるコンテンツを、記録日時及び当該コンテンツの映像情報の一部とともに記録する記録部と、前記記録部に記録された前記コンテンツの映像情報の一部が表示される選択メニュー画面を生成する画像処理部と、を備えた記録再生装置における表示方法であって、
前記画像処理部による選択メニュー画面の生成時、前記記録部に記録された各コンテンツについて、前記記録媒体に記録された記録日時と現在日時との差分に応じた明るさに、前記映像情報の一部を加工して表示するよう前記画像処理部を制御する、ことを特徴とする表示方法。
【発明の詳細な説明】
【技術分野】
【０００１】
本発明は、放送コンテンツを記録、再生する記録再生装置におけるメニュー画面の表示技術に関する。
【背景技術】
【０００２】
映像信号を記録する方式は、近年、アナログ形式からデジタル形式に移行し、記録媒体も磁気テープから光ディスクへと移行している。かかる状況下、記録再生装置として、ＤＶＤ（Digital Versatile Disc）レコーダ、ＨＤ（Hard Disc）レコーダ、ブルーレイ（Blu-ray）ディスクレコーダ、ＨＤ−ＤＶＤ（High Definition DVD）レコーダ等が上市されている。
【０００３】
上記記録再生装置において、記録媒体にコンテンツを記録する際には、通常、コンテンツの記録を行った日時やジャンルが付随情報として付加される。このため、ユーザは、装置のＧＵＩ（Graphical User Interface）を介して、記録したコンテンツについて記録日時やジャンルを容易に確認することができる。また通常、このようなＧＵＩ画面上では、記録されたコンテンツは、その一部を構成する画像（サムネイル）を表示可能である。
【０００４】
近年、記録媒体の大容量化が進み、上記記録再生装置に多くのコンテンツを保存可能である。このため、それほど興味がなく、必ずしも視聴しないコンテンツであっても一応記録しておく、という視聴スタイルが現れている。しかし、こうすると、記録媒体には未視聴の記録コンテンツが次第に増えていってしまう。また、記録媒体に残して何度も視聴するコンテンツもある。
【０００５】
記録媒体の容量にも限界があるため、記録媒体に記録されたコンテンツの管理（他の記録媒体への移動、削除）を行う必要が生じる。記録されたコンテンツを自動的に管理可能な記録再生装置が考えられている（特許文献１参照）。この記録再生装置は、記録された映像信号を記録した日時からの経過時間により算出されるコンテンツ年齢によって記録コンテンツを管理する。コンテンツ年齢の高い（記録日時からの経過時間が長い）コンテンツから順に自動的に記録媒体から削除する。特定の記録コンテンツを自動削除されないようにするには、ユーザが当該コンテンツを削除対象外に設定する。
【０００６】
【特許文献１】特開２００４−８６２８８号公報
【発明の開示】
【発明が解決しようとする課題】
【０００７】
しかし、記録日時から経過時間が長いコンテンツは、ユーザが「保存したい」意図で記録していることが多く、従って、自動削除されては困る場合が多い。自動削除を回避するには、このような記録コンテンツ全てを削除対象外に設定する処理を行わなければならない。しかし一方で、自動削除しない場合には、ユーザが不要な記録コンテンツを削除するには、各コンテンツについていちいちその記録日時を確認しなければならない。このような作業は、記録コンテンツが多数ある場合には非常に煩わしいものとなる。本発明は、従来技術における上記欠点を解決することを目的とする。
【課題を解決するための手段】
【０００８】
上記目的を達成するため、本発明の第１の態様における記録再生装置は、入力されるコンテンツを、記録日時及び当該コンテンツの映像情報の一部とともに記録する記録部と、前記記録部に記録された前記コンテンツの映像情報の一部が表示される選択メニュー画面を生成する画像処理部と、前記画像処理部による選択メニュー画面の生成時、前記記録部に記録された各コンテンツについて、前記記録部に記録された記録日時と現在日時との差分に応じた明るさに、前記映像情報の一部を加工して表示するよう前記画像処理部を制御する制御部と、を備える。
【０００９】
上記目的を達成するため、本発明の第２の態様における表示方法は、入力されるコンテンツを、記録日時及び当該コンテンツの映像情報の一部とともに記録する記録部と、前記記録部に記録された前記コンテンツの映像情報の一部が表示される選択メニュー画面を生成する画像処理部と、を備えた記録再生装置における表示方法であって、
前記画像処理部による選択メニュー画面の生成時、前記記録部に記録された各コンテンツについて、前記記録媒体に記録された記録日時と現在日時との差分に応じた明るさに、前記映像情報の一部を加工して表示するよう前記画像処理部を制御する。
【発明の効果】
【００１０】
本発明によれば、メニュー画面を介したコンテンツの整理が容易な記録再生装置及び表示方法が提供される。
【発明を実施するための最良の形態】
【００１１】
以下、本発明の実施の形態について、図面を参照しつつ詳細に説明する。なお、以下に示す実施の形態は一例に過ぎず、本発明はこれに限定されない。
【００１２】
図１に、本発明の実施の形態にかかる記録再生装置の構成を示す。図１に示す記録再生装置１０は、受信部１２と、復調部１４と、デコーダ部１６と、画像処理部１８と、Ｄ／Ａ（Digital to Analog）変換部２０と、増幅部２２と、エンコーダ部２４と、記録再生部２６と、表示部２８と、入力部３０と、タイマ３２と、制御部３４と、を備える。
【００１３】
受信部１２は、アンテナ１３を介して受信した放送波から、所定放送局（チャンネル）の放送波を抽出する。受信部１２が抽出する放送波は、ユーザにより選択、設定される。
【００１４】
復調部１４は、受信部１２が抽出した放送波から、規定されたフォーマットで構成される映像信号及び音声信号（コンテンツ）を抽出する。放送波には、コンテンツに関連する放送データが含まれていてもよい。
【００１５】
デコーダ部１６は、復調部１４が抽出した映像信号及び音声信号を任意の圧縮／非圧縮のデジタルフォーマットに変換する。デコーダ部１６は、音声信号をＰＣＭ（Pulse Code Modulation）形式のデジタル音声信号に変換する。
【００１６】
画像処理部１８は、任意の画像、例えば、メニュー（ＧＵＩ）画面を生成する。
【００１７】
Ｄ／Ａ変換部２０は、デコーダ部１６から出力された例えばＰＣＭ形式のデジタル音声信号をアナログ音声信号に変換する。
【００１８】
増幅部２２は、Ｄ／Ａコンバータから出力されたアナログ音声信号を任意の音量に増幅し、スピーカ２３に出力する。なお、スピーカ２３がデジタル形式の音声信号を処理可能である場合には、Ｄ／Ａ変換部２０を設けなくとも良い。
【００１９】
エンコーダ部２４は、デコーダ部１６から出力された映像信号と画像処理部１８から出力された映像信号を合成し、ＮＴＳＣ（National Television Standards Committee）等のアナログ映像信号フォーマットに変換する。エンコーダ部２４からの映像信号はモニタ２５に出力される。勿論、モニタ２５がデジタル映像信号を処理可能である場合には、任意のデジタル映像信号でモニタ２５に送出してもよい。
【００２０】
記録再生部２６は、デコーダ部１６から出力された映像信号及び音声信号を記録媒体に記録し、記録した映像信号等を記録媒体から読出す。記録再生部２６は、例えば、ＨＤＤ（Hard Disc Drive）から構成され、ＨＤを記録媒体とする。記録再生部２６は、ＤＶＤ等の可搬型記録媒体を記録媒体としてもよい。映像信号及び音声信号はコンテンツ毎に、記録日時等の付随情報（管理情報）とともに記録媒体に記録される。
【００２１】
表示部２８は、液晶ディスプレイ等を備え、記録再生装置１０の動作状態を表示する。
【００２２】
入力部３０には、記録再生部２６への記録、記録再生部２６に記録されたコンテンツの再生や削除等に関する指示が入力される。入力部３０には、ボタン等を備えたパネルから指示信号が入力されてもよく、リモートコントローラから指示信号が入力されてもよい。
【００２３】
タイマ３２は、現在（動作時）の年月日と時刻を保持する。
【００２４】
制御部３４は、上記各部の動作を総括的に制御する。
【００２５】
以下、本実施の形態にかかる記録再生装置１０の記録時の動作について説明する。
記録再生装置１０へ記録を行う場合、まず、操作者がメニュー画面を見て入力部３０を介して記録対象となるコンテンツを選択する。記録対象となるコンテンツは、予め設定された条件に基づいて制御部３４が自動で選択してもよい。コンテンツは、所定周波数が割り当てられた放送局から、放送波に重畳された映像信号及び音声信号として送出される。放送波には、コンテンツのジャンル等を示す付随情報（メタデータ）も重畳される。制御部３４は、記録対象に設定されたコンテンツを送出する放送局（チャンネル）を選択するよう受信部１２を制御する。
【００２６】
受信部１２は、選択された放送局からの放送波の受信の有無を、アンテナ１３から入力される放送波に対して判定する。選択された放送波を受信している場合、復調部１４へアンテナ１３より受信した放送波を出力する。選択された放送波を受信していない場合、復調部１４へアンテナ１３より受信した放送波を出力しない。
【００２７】
復調部１４は、受信部１２から出力された放送波から映像信号、音声信号等を抽出し、デコーダ部１６に出力する。
【００２８】
デコーダ部１６は、復調部１４から入力された映像信号及び音声信号をそれぞれアナログ信号からデジタルデータに変換し、さらに所定の形式の圧縮デジタルデータに変換する。デコーダ部１６は、映像信号及び映像信号を、例えばＭＰＥＧ（Moving Picture Experts Group）形式の圧縮デジタルデータに変換し、記録再生部２６に出力する。
【００２９】
記録再生部２６は、デコーダ部１６から出力されたデジタル形式の映像信号、音声信号等（コンテンツ）の記録開始の要求を受け付け、記録媒体への記録を行う。
記録時、記録再生部２６は、記録を行う年月日及び時刻（日時情報）、並びに、記録開始時に最初に記録再生部２６に入力された映像信号（画像情報）を、記録対象コンテンツに付随する管理情報として記録媒体に記録する。なお、管理情報として記録されるこの画像は、最初に入力された映像でなくともよい。
【００３０】
記録媒体への記録を停止する場合、入力部３０からの停止指示等に応じて制御部３４が記録再生部２６に記録の中止を要求する。記録再生部２６は記録媒体への記録を停止し、記録を終了したコンテンツに付随する管理情報として、日時情報（記録終了年月日及び時刻）を記録する。
【００３１】
以下、本実施の形態にかかる記録再生装置１０の記録コンテンツの削除時等のメニュー画面表示動作について説明する。
記録再生装置１０に記録されているコンテンツの再生、削除等を行う場合、まず、制御部３４は、選択入力画面を構成するメニュー画面を生成してモニタ２５に出力表示し、対象となるコンテンツの選択を操作者から入力部３０を介して受け付ける。
【００３２】
メニュー画面を表示する際、制御部３４は、記録再生部２６に対して記録媒体にコンテンツの管理情報として記録されている映像情報等の読み出しを要求する。記録再生部２６は、記録媒体に記録されている全てのコンテンツについて管理情報を読み出す。記録再生部２６からの管理情報はデコーダ部１６を介して画像処理部１８に送出される。制御部３４は画像処理部１８に対して、管理情報（開始画像、タイトル等）を閲覧可能な画像として生成するよう描画を要求する。
【００３３】
ここで、制御部３４は、メニュー画面に表示する各コンテンツの画像について、記録時と表示時との差分（記録時からの経過時間）に応じてその明るさが異なる画像を生成するよう画像処理部１８に要求する。詳細には、メニュー画面表示の際、制御部３４は、記録時と現在（表示時）との差分について、予め設定した複数の段階のいずれに該当するか判定し、段階に応じた程度、映像の明るさを低下させた画像を生成するよう画像処理部１８を制御する。
【００３４】
より詳細には、制御部３４は、記録されたコンテンツに付随して記録されている日時情報を記録再生部２６を介して記録媒体から取得する（図２、ステップＳ１）。また、制御部３４は、タイマ３２から現在時（表示時）の日時情報を取得し、映像信号に付随する日時情報とタイマ３２から取得した日時情報との差分を抽出する（ステップＳ２、Ｓ３）。制御部３４は、抽出された日時情報に対する差分情報が予め定めた区分のいずれに該当するか判定し、画像処理部１８に区分に応じた画像の加工を要求する（ステップＳ４、Ｓ５）。画像処理部１８は、要求された画像を編集加工する。
【００３５】
なお、日時情報の差分は分単位、時単位、日単位、月単位等と任意で選択、設定できるようにすることで、使用者にとって使い勝手の良い状態とすることができる。以下では、差分を時間単位で判定する場合を例として説明する。
【００３６】
制御部３４は、例えば、差分が０〜６時間のときは元の明るさの画像を（区分１）、差分が６〜１２時間のときは元の明るさから１０％減じた画像を（区分２）、差分が１２〜１８時間のときは元の明るさから２５％減じた画像を（区分３）、差分が１８時間以上のときは元の明るさから５０％減じた画像を（区分４）、生成するよう画像処理部１８を制御する。
すなわち、画像処理部１８は、各コンテンツの画像について、判定した区分に応じた程度の明るさ低減処理を施し、例えば、図３に示すように、オリジナル画像について明るさが低減された画像を生成する。
【００３７】
なお、各記録コンテンツについて明るさの処理の区分を決定するとき、制御部３４は、コンテンツの管理情報に区分を含めて記憶することが好ましい。最も古い区分のコンテンツについては、以後のどの時点においても区分が変化することはないため、各コンテンツについて区分を保持しておくことにより、メニュー画面表示の際に常に区分を判別する処理を排除することが可能である。
【００３８】
図４に、記録時の異なる６つのコンテンツが記録媒体に記録されている場合の例を示す。制御部３４は、メニュー画面表示時に管理情報を読み出し、上述のように各コンテンツについて記録時と現在時（２３：００）との差分を算出し、予め定めた区分のいずれに該当するか判定する。図４に示す例において、コンテンツＡは区分４に、コンテンツＢ及びＣは区分３に、コンテンツＤ及びＥは区分２に、コンテンツＦは区分１と判定される。
【００３９】
画像処理部１８は、制御部３４の要求に従って、区分に応じてコンテンツを表す画像（サムネイル）が生成し、メニュー画面には、例えば図４に示すようにコンテンツが表示される。使用者は、このように表示されたメニュー画面により、コンテンツを示す画像について、その明るさから記録時の新しさ、古さを一見して容易に把握することができる。このため、操作者は、例えば古いコンテンツの整理（削除等）をしたいとき、暗い画像で表されるコンテンツについてのみその画像から内容を判断して、削除の要否等を簡単に決定することができる。
【００４０】
以上説明したように、本実施の形態では、現在時とコンテンツの記録時との差分に応じて、メニュー画面に表示する画像（サムネイル）をその明るさを変えて表示する。これにより、操作者は、メニュー画面に一覧表示される記録コンテンツについて、その記録時からの経過時間（コンテンツ年齢）を容易に把握することができる。
【００４１】
例えば、操作者がメニュー画面に例えば記録の古い順に表示されたコンテンツの一覧を見てコンテンツの整理をしたいとき、上位に表示されたコンテンツであってもそれほど古いものではない場合やその逆の場合もある。このような場合、操作者は本来各コンテンツの記録時を確認しなければならないが、本実施の形態によれば、画像の明るさによって容易に大体のコンテンツ年齢を把握することができ、操作者は容易に短時間にコンテンツを整理することができる。
【００４２】
本発明は、上記実施の形態に限定されず、種々の変更、修正等が可能である。
【００４３】
例えば、元々暗い画像がサムネイルとして記憶されており、コンテンツ年齢による明るさの変化が解りづらいような場合には、画像上に明るさの段階を示す印を重畳して表示するようにしてもよい。例えば、画像の隅に、明るさの段階を示す記号（丸印、レベルゲージ等）が重畳して表示するようにしてもよい。
【００４４】
また、明るさ低減処理により暗化し、画面の内容が判別しづらいような場合には、画像の全体ではなく、一部の領域（例えば、緑色の部分）についてのみ加工し、元の画像の内容を確認できるようにしてもよい。
【図面の簡単な説明】
【００４５】
【図１】本発明の実施の形態にかかる再生装置の構成を示すブロック図である。
【図２】本発明の実施の形態におけるメニュー画面の生成フローの一例を示す図である。
【図３】本発明の実施の形態における画像処理の例を示す図である。
【図４】本発明の実施の形態における記録コンテンツの区分例を示す図である。
【図５】本発明の実施の形態におけるメニュー画面の表示例を示す図である。
【符号の説明】
【００４６】
１０：再生装置、１２：受信部、１４：復調部、１６：デコーダ部、１８：画像処理部、２０：Ｄ／Ａ変換部、２２：増幅部、２４：エンコーダ部、２６：記録再生部、２８：表示部、３０：入力部、３２：タイマ、３４：制御部
【図１】
2008072200.tif 000003
【図２】
2008072200.tif 000004
【図３】
2008072200.tif 000005
【図４】
2008072200.tif 000006
【図５】
2008072200.tif 000007